(57)【要約】  【課題】電気的な接触を確実に保持できるコネクタを提供する。  【解決手段】レセプタクル21の嵌合開口部23にプラグハウジング31の嵌合突部33を嵌合する。レセプタクル21のピン体28をプラグハウジング31のソケット体42に電気的に接触させる。レセプタクル21の雄ねじ部26に保持リング51の雌ねじ部55を螺合して保持リング51によるレセプタクル21へのプラグハウジング31の嵌合を保持する。可撓性を有する柔らかい材料の保持リング51とする。保持リング51の外周面に結束バンド61を取り付けて保持リング51をプラグハウジング31に押さえ付ける。保持リング51によるレセプタクル21へのプラグハウジング31の嵌合保持が確実となる。振動時の保持リング51とプラグハウジング31とのずれが無くなる。  【選択図】図１
2006085996.tif 000002
【特許請求の範囲】
【請求項１】
通電される一対のケーブル間を電気的に接続するコネクタであって、
前記一対のケーブルの一方に電気的に接続された第１の接触子を備えた第１のソケットと、
前記一対のケーブルの他方に電気的に接続され前記第１のソケットへの嵌合によって前記第１の接触子に電気的に接触する第２の接触子を備えた第２のソケットと、
この第２のソケットと前記第１のソケットとを嵌合させて前記第１の接触子と前記第２の接触子と電気的に接触させた状態で、前記第２のソケットと前記第１のソケットとの嵌合を保持し可撓性を有する保持手段と、
この保持手段による前記第１のソケットと前記第２のソケットとの嵌合保持を固定する固定手段と
を具備したことを特徴としたコネクタ。
【請求項２】
第１の接部子と第２の接触子とが電気的に接触する接触方向は、第２のソケットと第１のソケットとを嵌合する嵌合方向に沿っている
ことを特徴とした請求項１記載のコネクタ。
【請求項３】
第２のソケットは、外側面にねじ溝が形成された略円柱状で、
保持手段は、第１のソケットに取り付けられ、前記第２のソケットの外側面のねじ溝に螺合可能なねじ溝が内周面に形成された略円筒状で、このねじ溝の前記第２のソケットのねじ溝への螺合によって、この第２のソケットと第１のソケットとの嵌合を保持する
ことを特徴とした請求項１または２記載のコネクタ。
【請求項４】
固定手段は、保持手段に取り付けられこの保持手段による第１のソケットへの前記第２のソケットの嵌合保持を締め付け固定する結束バンドである
ことを特徴とした請求項１ないし３いずれか記載のコネクタ。
【請求項５】
固定手段は、第１のソケットと保持手段との間に亘って取り付けられている
ことを特徴とした請求項１ないし４いずれか記載のコネクタ。
【請求項６】
電子ビームを出射する陰極構体、およびこの陰極構体からの電子ビームの照射によってＸ線を放出する陽極構体を備えたＸ線管本体と、
このＸ線管本体に電気的に接続された請求項１ないし５いずれか記載のコネクタと
を具備したことを特徴としたＸ線管。
【発明の詳細な説明】
【技術分野】
【０００１】
本発明は、一対のケーブル間を電気的に接続するコネクタ、およびこのコネクタを備えたＸ線管に関する。
【背景技術】
【０００２】
従来、この種の回転陽極型Ｘ線管用のコネクタは、いわゆるねじ式で、一対のケーブル間を電気的に接続させる。そして、このコネクタは、一対のケーブルの一方に取り付けられているプラグの外周面に設けられているねじ溝と、これら一対のケーブルの他方に取り付けられているモールド部の内周面に設けられているねじ溝とを螺合することによって、このプラグがモールド部に嵌合保持されるとともに、これらプラグおよびモールド部に取り付けられている一対のケーブル間が電気的に接続される構成が知られている(例えば、特許文献１参照。)。
【０００３】
さらに、この種のねじ式のコネクタは、内側底部に凹状の雌コンタクトが設けられた有底円筒状の雌レセプタクル部を備えており、この雌レセプタクル部の雌コンタクトに一方のケーブルが電気的に接続されている。また、この雌レセプタクル部には、内周面にねじ部が設けられたホーンが取り付けられている。さらに、コネクタは、先端面に雄コンタクトが突設された略円柱状の雄プラグ部を備えており、この雄プラグ部の雄コンタクトに他方のケーブルが電気的に接続されている。また、この雄プラグ部には、外周面にねじ部が設けられたねじ付き保持リングが取り付けられている。
【０００４】
そして、雌レセプタクル部に雄プラグ部を嵌合させて接続して、この雌レセプタクル部の雌コンタクトに雄プラグ部の雄コンタクトを嵌合させて電気的に接続させることによって、一対のケーブルを電気的に接続させる。この状態で、雌レセプタクル部に取り付けられているホーンのねじ部に、雄プラグ部に取り付けられているねじ付き保持リングを螺合させることによって、雌レセプタクル部への雄プラグ部の嵌合が抜け止め保持される構成が知られている(例えば、特許文献２参照。)。
【特許文献１】特開２００１−１５２９４号公報（第３−５頁、図３）
【特許文献２】特開昭６２−１８８１８５号公報（第４−７頁、第２図および第３図）
【発明の開示】
【発明が解決しようとする課題】
【０００５】
しかしながら、上述のコネクタでは、Ｘ線管から発生する振動や、このＸ線管が取り付けられている装置などからの振動が、このコネクタに伝わることによって、このコネクタの雄プラグ部と雌レセプタクル部の嵌合接続に緩みが生じ、このコネクタによって電気的に接続したケーブル同士が接触および非接触を繰り返してしまい、これらケーブル間の接触抵抗が大きくなるから、これらケーブルが加熱して焼損してしまうおそれがある。したがって、これらケーブルが焼損せずに、これらケーブルによって電気をＸ線管に供給するには、許容できる接触抵抗以下で通電しなくてはならないから、コネクタに振動が伝わらない場合の許容電流よりも低い電流で、これらケーブル間に通電しなくてはならない。
【０００６】
さらに、このコネクタの雄プラグ部に取り付けられているねじ付き保持リングおよび雌レセプタクル部に取り付けられているホーンそれぞれのねじ部には嵌合差となる隙間が存在する。したがって、外部から伝わる振動によって雄プラグ部と雌レセプタクル部との間に相対的な歪みが発生するおそれがある。そして、この歪みによって雄プラグ部の雄コンタクトおよび雌レセプタクル部の雌コンタクト同士が電気的な接触状態から非接触状態となってしまうおそれがあるので、これら雄コンタクトおよび雌コンタクトに電気的に接続されているケーブルの電気的な接触を確実に保持することが容易ではないという問題を有している。
【０００７】
本発明は、このような点に鑑みなされたもので、電気的な接触を確実に保持できるコネクタ、およびこのコネクタを備えたＸ線管を提供することを目的とする。
【課題を解決するための手段】
【０００８】
本発明は、通電される一対のケーブル間を電気的に接続するコネクタであって、前記一対のケーブルの一方に電気的に接続された第１の接触子を備えた第１のソケットと、前記一対のケーブルの他方に電気的に接続され前記第１のソケットへの嵌合によって前記第１の接触子に電気的に接触する第２の接触子を備えた第２のソケットと、この第２のソケットと前記第１のソケットとを嵌合させて前記第１の接触子と前記第２の接触子と電気的に接触させた状態で、前記第２のソケットと前記第１のソケットとの嵌合を保持し可撓性を有する保持手段と、この保持手段による前記第１のソケットと前記第２のソケットとの嵌合保持を固定する固定手段とを具備したものである。
【０００９】
そして、第１のソケットと第２のソケットとを嵌合させて、この第１のソケットの第１の接触子と第２のソケットの第２の接触子とを電気的に接触させ、一対のケーブル間を電気的に接続する。この状態で、可撓性を有する保持手段にて第２のソケッと第１のソケットとの嵌合を保持してから、この保持手段による第１のソケットと第２のソケットとの嵌合保持を固定手段にて固定する。この結果、例えば外部からの振動が第１のソケットおよび第２のソケットに伝わった場合であっても、固定手段により可撓性を有する保持手段を固定することによって、この保持手段による第２のソケットと第１のソケットとの嵌合が確実に保持されるので、これら第１のソケットの第１の接触子と第２のソケットの第２の接触子との間の電気的な接触を確実に保持できる。
【発明の効果】
【００１０】
本発明によれば、固定手段により可撓性を有する保持手段を固定することによって、この保持手段による第２のソケットと第１のソケットとの嵌合を確実に保持できるから、これら第１のソケットの第１の接触子と第２のソケットの第２の接触子との間の電気的な接触を確実に保持できる。
【発明を実施するための最良の形態】
【００１１】
以下、本発明の回転陽極型Ｘ線管の第１の実施の形態を図面を参照して説明する。
【００１２】
図２において、１は回転陽極型Ｘ線管で、この回転陽極型Ｘ線管１は、Ｘ線管本体10にて構成されている。このＸ線管本体10は、Ｘ線を放出する回転陽極構体としての略円盤状の陽極ターゲット２を備えている。この陽極ターゲット２の表面に対向した位置には、この陽極ターゲット２に向けて電子ビームを照射する陰極構体としての電子銃３が取り付けられている。そして、陽極ターゲット２には、この陽極ターゲット２を周方向に回転させるすべり軸受構体としての回転機構４が連結されている。
【００１３】
具体的に、この回転機構４は、陽極ターゲット２に同心状に連結された内側回転体としての回転シャフト５を有している。この回転シャフト５は、陽極ターゲット２を回転可能に支持する。また、この回転シャフト５は、外側固定体としての円筒状の固定シャフト６に同心状に回転可能に取り付けられている。ここで、これら回転シャフト５の外周面と固定シャフト６の内周面との間には、液体金属潤滑材として図示しない液状のガリウム(Ｇａ)合金が充填されている。
【００１４】
さらに、この固定シャフト６の外側には、外部からの回転磁界によって回転する円筒状の回転体７が回転可能に同心状に取り付けられている。この回転体７は、この回転体７の回転に伴って回転シャフト５および陽極ターゲット２を回転させる。
【００１５】
一方、陽極ターゲット２、電子銃３、回転機構４および回転体７のそれぞれは、真空容器としての真空外囲器８内に収容されて真空保持されている。また、この真空外囲器８の外側には、この真空外囲器８内に真空保持されている回転体７を回転駆動させる誘導磁界としての回転磁界を形成する磁界形成手段としての誘導電動機であるステータコイル９が設置されている。このステータコイル９は、回転体７を回転駆動させる駆動手段である。
【００１６】
次に、上記第１の実施の形態の回転陽極型Ｘ線管用のコネクタについて説明する。
【００１７】
図１において、11はコネクタで、このコネクタ11は、回転陽極型Ｘ線管１のステータコイル９に電流を供給して通電させる一対のケーブル12,13間を電気的に接続させる。すなわち、これら一対のケーブル12,13は、回転陽極型Ｘ線管１に外部から電流を供給するための電流を流すためのものである。ここで、これら一対のケーブル12,13のうちの一方のケーブル12は、回転陽極型Ｘ線管１のステータコイル９に電気的に接続されている。また、これら一対のケーブル12,13のうちの他方のケーブル13は、図示しない交流電源としての商用電源に電気的に接続されている。
【００１８】
そして、コネクタ11は、一方のケーブル12が取り付けられている第１のソケットとしてのレセプタクル21を備えている。このレセプタクル21は、略有底円筒状のレセプタ本体22を有している。このレセプタ本体22の軸方向の一端には、断面凹状の嵌合開口部23が設けられている。この嵌合開口部23は、レセプタ本体22の軸方向に沿って一端側に向けて同軸状に開口している。そして、この嵌合開口部23の開口内縁には、この嵌合開口部23の開口内縁を拡開させるテーパ状の拡開面部24が設けられている。この拡開面部24は、嵌合開口部23の周方向に沿って形成されており、この嵌合開口部23の内周面の先端縁を先端側に向けて同心状に拡開させている。
【００１９】
さらに、レセプタ本体22の外周面には、このレセプタ本体22の周方向に沿って径方向に向けて突出した円環状の係止鍔部25が一体的に設けられている。この係止鍔部25は、嵌合開口部23の基端縁に対向した位置に設けられている。また、レセプタ本体22の係止鍔部25より一端側の外周面には、ねじ溝26aが螺刻されて雄ねじ部26が形成されている。この雄ねじ部26は、嵌合開口部23の外周面に形成されており、この嵌合開口部23の開口方向である軸方向に向けて螺旋状に巻回したねじ溝26aによって形成されている。
【００２０】
そして、レセプタ本体22の他端側には、このレセプタ本体22の嵌合開口部23内へと貫通した細長円筒状の貫通孔27が複数、例えば５つほど設けられている。これら貫通孔27は、レセプタ本体22の軸方向に沿って貫通しており、このレセプタ本体22の中央部と、この中央部から等間隔に離間させた位置であってレセプタ本体22の周方向に沿って等間隔に離間させた位置とのそれぞれに設けられている。
【００２１】
さらに、これら貫通孔27のそれぞれには、第１の接触子としての雄接触子である細長円柱状のピン体28が挿入されて取り付けられている。これらピン体28の長手方向の一端部のそれぞれは、レセプタ本体22の嵌合開口部23内の底部よりこの嵌合開口部23内へと突出しており、球面状に形成されている。さらに、これらピン体28の長手方向の他端部のそれぞれは、レセプタ本体22内にて一方のケーブル12の一端に電気的に接続されている。
【００２２】
一方、レセプタクル21の嵌合開口部23には、第２のソケットとしての略円柱状のプラグハウジング31が嵌合される。このプラグハウジング31には、他方のケーブル13が取り付けられている。そして、このプラグハウジング31は、円柱状のハウジング本体32を備えている。このハウジング本体32の軸方向の他端側には、レセプタクル21の嵌合開口部23に嵌合される円柱状の嵌合突部33が設けられている。この嵌合突部33は、この嵌合突部33より一端側のハウジング本体32の外径寸法より小さく、レセプタクル21の嵌合開口部23の内径寸法より小さな外径寸法を有する円柱状に形成されている。
【００２３】
そして、この嵌合突部33の基端縁であるハウジング本体32の外周面には、このハウジング本体32の周方向に沿って径方向に向けて突出した円環状の保持鍔部34が一体的に設けられている。さらに、この保持鍔部34より他端側の嵌合突部33の外周面には、この嵌合突部33の周方向に沿って径方向に向けて突出した円環状の保持片部35が一体的に設けられている。この保持片部35は、レセプタクル21の嵌合開口部23の外径寸法に略等しい外径寸法を有している。したがって、この保持片部35の外周面は、プラグハウジング31の嵌合突部33をレセプタクル21の嵌合開口部23に嵌合させた状態で、この嵌合開口部23の外周面と面一になるように構成されている。
【００２４】
ここで、嵌合突部33の保持片部35より他端側は、レセプタクル21の嵌合開口部23の長手寸法に略等しい長さ寸法を有している。さらに、この保持片部35は、保持鍔部34の高さ寸法より小さな高さ寸法を有している。そして、この保持片部35と保持鍔部34との間には、嵌合突部33の周方向に沿った断面凹溝状の係合凹部36が形成されている。
【００２５】
また、ハウジング本体32には、このハウジング本体32の一端側から他端側に向けて貫通した細長円筒状の挿通孔37が複数、例えば５つほど設けられている。これら挿通孔37は、ハウジング本体32の軸方向に沿って貫通しており、このハウジング本体32の中央部と、この中央部から等間隔に離間させた位置であってハウジング本体32の周方向に沿って等間隔に離間させた位置とのそれぞれに設けられている。すなわち、これら挿通孔37は、プラグハウジング31の嵌合突部33をレセプタクル21の嵌合開口部23に嵌合させた状態で、このレセプタクル21の各貫通孔27に連通するように設けられている。
【００２６】
そして、これら挿通孔37内の保持鍔部34より一端側には、これら挿通孔37の周方向に沿って中心軸方向に向けて突出した円環状の係止突部38が一体的に設けられている。これら係止突部38には、接触子としての取付ピン41がハウジング本体32の一端側から挿入されて固定されている。これら取付ピン41は、他方のケーブル13それぞれの一端部に取り付けられて固定されている。
【００２７】
さらに、各挿通孔37の係止突部38より他端側のそれぞれには、第２の接触子としての雌接触子である円筒状のソケット体42が取り付けられている。このソケット体42は、このソケット体42の一端側から取付ピン41が挿入されてこの取付ピン41と電気的に接触されて接続されている。また、このソケット体42は、このソケット体42の他端側からピン体28の一端側が挿脱可能に挿入されて電気的に接触され、一方のケーブル12と他方のケーブル13とを電気的に接続させる。さらに、このソケット体42は、レセプタクル21へのプラグハウジング31の嵌合によってピン体28に電気的に接触されて接続されるように構成されている。
【００２８】
すなわち、これらソケット体42のそれぞれは、レセプタクル21にプラグハウジング31が嵌合される嵌合方向に沿って突出している。さらに、これらソケット体42が電気的に接触されて接続されるレセプタクル21のピン体28もまた、レセプタクル21にプラグハウジング31が嵌合される嵌合方向に沿って突出している。したがって、これらソケット体42にピン体28が嵌合されて電気的に接触されて接続される方向もまた、レセプタクル21にプラグハウジング31が嵌合される嵌合方向に沿っている。
【００２９】
ここで、このソケット体42の内周面の他端側には、このソケット体42の中心軸方向に向けて凸弧状に突出した弾性を有するばね部43が設けられている。このばね部43は、ステンレスばねにて構成されており、ソケット体42の他端側から挿入されるピン体28の一端側の外周面が電気的に接触する部分に設けられている。そして、このばね部43は、ソケット体42の他端側から挿入されたピン体28の外周面をばね部43の弾性力によってソケット体42の内周面に押圧させて確実に電気的に接触させる。
【００３０】
一方、プラグハウジング31のハウジング本体32の外側には、保持手段としてのプラグ回転部である略円筒状の保持リング51が、ハウジング本体32に対して回転可能に係合されて取り付けられている。この保持リング51は、可撓性を有する樹脂などの柔らかい材質にて構成されている。そして、この保持リング51は、レセプタクル21の嵌合開口部23にプラグハウジング31の嵌合突部33を嵌合させて、ピン体28とソケット体42とを電気的に接触させて導通させた状態で、このレセプタクル21へのプラグハウジング31の嵌合を締め付けて保持して位置決め固定する。
【００３１】
具体的に、この保持リング51は、レセプタクル21の嵌合開口部23の外径寸法に略等しい内径寸法を有する円筒状のリング本体52を備えている。このリング本体52は、弾性可能な薄肉状の円筒状に形成されている。また、このリング本体52の一端側の開口縁には、このリング本体52の周方向に沿って中心軸方向に向けて突出した円環状の係合突部53が一体的に設けられている。この係合突部53は、保持リング51をハウジング本体32の他端側から外嵌合させた状態で、このハウジング本体32の係合凹部36に周方向に向けて回転可能に係合されている。この係合突部53のリング本体52の一端側の先端縁には、この係合突部53の先端部を先細状に傾斜させた傾斜面部54が周方向に沿って形成されている。
【００３２】
さらに、リング本体52の係合突部53より他端側の内周面には、レセプタクル21の雄ねじ部26のねじ溝26aに螺合可能なねじ溝55aが螺刻されて雌ねじ部55が形成されている。この雌ねじ部55は、リング本体52の軸方向に向けて螺旋状に巻回したねじ溝55aによって形成されている。また、この雌ねじ部55は、保持リング51のリング本体52の他端側をレセプタクル21の嵌合開口部23の一端側に外嵌合させる際に、この嵌合開口部23の外周面に形成されている雄ねじ部26に取り外し可能に螺合されて、レセプタクル21へのプラグハウジング31の嵌合を保持させる。
【００３３】
また、保持リング51のリング本体52の外周面の他端側には、このリング本体52の周方向に沿って径方向に向けて突出した円筒状の操作面部56が一体的に形成されている。この操作面部56は、レセプタクル21の係止鍔部25の外径寸法より若干小さな外径寸法を有している。そして、この操作面部56は、保持リング51の雌ねじ部55をレセプタクル21の雄ねじ部26に螺合させる際に、この保持リング51を周方向に向けて回転させる際の操作部となる。
【００３４】
一方、この保持リング51の外周面の一端縁には、この保持リング51によるレセプタクル21へのプラグハウジング31の嵌合保持を締め付け固定する固定手段としての円環状の結束バンド61が取り付けられている。この結束バンド61は、保持リング51の回転部分を固定するバンド状あるいは紐状に形成されている。ここで、この結束バンド61は、この結束バンド61が保持リング51から抜け難くなるように、この保持リング51の操作面部56よりも内側に窪んだ低い位置であるリング本体52の外周面に取り付けられている。さらに、この結束バンド61は、保持リング51の外周面の一端部である係合突部53の反対側の位置に周方向に沿って取り付けられている。よって、この結束バンド61は、保持リング51を変形させてプラグハウジング31に押さえ付けて、この保持リング51をプラグハウジング31に固定させる。
【００３５】
ここで、この結束バンド61は、保持リング51の係合突部53の幅寸法より大きな幅寸法を有する円筒状に形成されている。さらに、この結束バンド61は、保持リング51の外周面に取り付けた状態で、この結束バンド61の一端部が保持リング51の一端縁よりも一端側に突出して、この結束バンド61の一端面をプラグハウジング31の保持鍔部34の他端面に当接させて取り付けられている。すなわち、この結束バンド61は、プラグハウジング31の保持鍔部34の他端縁から保持片部35の一端縁までを覆う保持リング51上に取り付けられている。
【００３６】
次に、上記第１の実施の形態の回転陽極型Ｘ線管の作用について説明する。
【００３７】
まず、コネクタ11のレセプタクル21の嵌合開口部23内に、プラグハウジング31の嵌合突部33を嵌合させる。
【００３８】
このとき、このプラグハウジング31の各挿通孔37にレセプタクル21の嵌合開口部23内に突出している各ピン体28を挿入させて、これら各ピン体28をプラグハウジング31の各挿通孔37内のソケット体42に電気的に接触させて接続させる。
【００３９】
この状態で、保持リング51の内側面に設けた雌ねじ部55を、レセプタクル21の嵌合開口部23の外周面に設けた雄ねじ部26に螺合させ、レセプタクル21の嵌合開口部23へのプラグハウジング31の嵌合突部33の嵌合を抜け止め保持させて位置決め固定する。
【００４０】
この後、この保持リング51の操作面部56よりも一端側の外周面に結束バンド61を取り付けて、この結束バンド61にて保持リング51をプラグハウジング31に押さえ付けて、この保持リング51をプラグハウジング31に固定させる。
【００４１】
この状態で、コネクタ11のプラグハウジング31に取り付けられている他方のケーブル13を商用電源に差し込んで、この商用電源から交流電流を他方のケーブル13および一方のケーブル12を介して回転陽極型Ｘ線管１のステータコイル９へと通電させる。
【００４２】
このとき、このステータコイルへ９の交流電流の供給によって、このステータコイル９から回転磁界が誘導され、この回転磁界によって回転体７が回転駆動する。
【００４３】
そして、この回転体７の回転にて回転シャフト５が回転して、この回転シャフト５に取り付けられている陽極ターゲット２が回転する。
【００４４】
この状態で、この回転している陽極ターゲット２に、電子銃３から電子ビームを照射させて、この陽極ターゲット２からＸ線を放出させる。
【００４５】
上述したように、コネクタ11のレセプタクル21の嵌合開口部23にプラグハウジング31の嵌合突部33を嵌合させて、このレセプタクル21に取り付けられている各ピン体28をプラグハウジング31に取り付けられている各ソケット体42に電気的に接触させて接続させる。この後、このレセプタクル21の外周面に形成されている雄ねじ部26に保持リング51の内周面に形成されている雌ねじ部55を螺合させて、この保持リング51によるレセプタクル21へのプラグハウジング31の嵌合を保持させる。
【００４６】
この場合に、回転陽極型Ｘ線管１や、この回転陽極型Ｘ線管１が取り付けられているＣＴ装置などからの外部からの振動がコネクタ11に伝わった場合には、保持リング51の雌ねじ部55とレセプタクル21の雄ねじ部26との間には嵌合差として隙間が存在するから、図４に示すコネクタ11のように、このコネクタ11のレセプタクル21に対してプラグハウジング31が軸方向に交差する方向に向けて振動してしまい、これらレセプタクル21とプラグハウジング31との間に相対的にずれが生じる。そして、このずれによって、レセプタクル21のピン体28とプラグハウジング31のソケット体42との電気的な接触状態が非接触状態となる。このとき、このレセプタクル21とプラグハウジング31との相対的なずれは、保持リング51とプラグハウジング31との嵌合差、および保持リング51の雌ねじ部55とレセプタクル21の雄ねじ部26との嵌合差とを足し合わせたものに起因している。
【００４７】
そこで、上記第１の実施の形態のように、保持リング51を、可撓性を有する柔らかい材料にて形成するとともに、この保持リング51の外周面に結束バンド61を取り付けて、この結束バンド61にて保持リング51をプラグハウジング31の外周面に押さえ付けさせて、レセプタクル21へのプラグハウジング31の嵌合保持を締め付け固定させる構成とした。
【００４８】
この結果、外部からの振動がコネクタ11に伝わった場合であっても、結束バンド61による可撓性を有する保持リング51の締め付け固定によって、この保持リング51によるレセプタクル21へのプラグハウジング31の嵌合保持が確実となるとともに、振動時の保持リング51とプラグハウジング31との相対的なずれを無くすことができる。このため、振動時のレセプタクル21とプラグハウジング31とのずれを軽減できるから、これらレセプタクル21の各ピン体28とプラグハウジング31の各ソケット体42との電気的な接触を良好にできる。
【００４９】
よって、これらレセプタクル21の各ピン体28とプラグハウジング31の各ソケット体42との電気的な接触を確実に保持できる。このため、これらピン体28とソケット体42とが接触と非接触とを繰り返して接触抵抗が大きくなることによって生じる、これらピン体28およびソケット体42が加熱されて焼損されることを防止できる。したがって、これらレセプタクル21およびプラグハウジング31にて構成されるコネクタ11での接触抵抗を軽減でき、従来のコネクタ接続での許容電流を超える電流を通電させることが可能となる。
【００５０】
このため、この許容電量が大きくなることにより回転陽極型Ｘ線管１に供給する電流を多く通電することが可能となるから、この回転陽極型Ｘ線管１のステータコイル９により多くの電流を供給できる。したがって、このステータコイル９からの回転磁界をより大きくできるから、この回転磁界にて陽極ターゲット２の回転速度をより上げることができるとともに、より重い陽極ターゲット２を回転できるなどの、回転陽極型Ｘ線管１の種々の性能を上げることができる。
【００５１】
なお、上記第１の実施の形態では、保持リング51の外周面に取り付けた結束バンド61で保持リング51をプラグハウジング31に押さえ付ける構成としたが、図３に示す第２の実施の形態のように、この結束バンド61にて保持リング51およびプラグハウジング31のそれぞれを押さえ付ける構成とすることもできる。この場合、この結束バンド61は、レセプタクル21にプラグハウジング31を嵌合させて保持リング51にて保持した状態で、この保持リング51の操作面部56からプラグハウジング31の保持鍔部34までを覆うことができる程度の長さ寸法を有するの円筒状に形成されている。
【００５２】
すなわち、この結束バンド61は、保持リング51の操作面部56からプラグハウジング31の保持鍔部34までを覆って、これら保持リング51およびプラグハウジング31のそれぞれを押さえ付ける。言い換えると、この結束バンド61は、保持リング51とプラグハウジング31とにまたがって、この保持リング51の外周面に取り付けられて縛り付けられて、これら保持リング51とプラグハウジング31とを位置決め固定させる。すなわち、この結束バンド61は、高低差の少ないプラグハウジング31の保持鍔部34と保持リング51の操作面部56とのそれぞれに両側縁を係止させた状態で、これらプラグハウジング31と保持リング51との間に亘って取り付けられている。
【００５３】
この結果、結束バンド61による保持リング51およびプラグハウジング31の締め付け固定によって、この保持リング51によるレセプタクル21へのプラグハウジング31の嵌合保持がより確実になるから、上記第１の実施の形態と同様の作用効果を奏することができる。
【００５４】
さらに、上記各実施の形態において、回転陽極型Ｘ線管１の構成は、陽極ターゲット２からＸ線が放出できる構成であればどのような形状であってもよい。また、一対のケーブル12,13間を電気的に接続させるピン体28およびソケット体42以外であっても、これら一対のケーブル12,13を電気的に接続できればどのような形状の接触子であってもよい。さらに、バンド状の結束バンド61ではなく、紐状の結束バンド61を保持リング51や、この保持リング51およびプラグハウジング31間に縛り付けてもよい。
【００５５】
また、回転陽極型Ｘ線管１のステータコイル９に電流を供給するコネクタ11としたが、このステータコイル９以外の回転陽極型Ｘ線管１の電子銃３などの他の部分に電流を供給するコネクタ11とすることもできる。また、回転陽極型Ｘ線管１以外のＸ線管や、その他の種々の装置であっても対応させてコネクタ11を用いることができる。
【図面の簡単な説明】
【００５６】
【図１】本発明のコネクタの第１の実施の形態を示す説明断面図である。
【図２】同上コネクタが接続されるＸ線管を示す説明断面図である。
【図３】本発明の第２の実施の形態のコネクタを示す説明断面図である。
【図４】本発明の前提となるコネクタが振動した状態を示す説明断面図である。
【符号の説明】
【００５７】
１    Ｘ線管としての回転陽極型Ｘ線管
２    陽極構体としての陽極ターゲット
３    陰極構体としての電子銃
10    Ｘ線管本体
11    コネクタ
12,13    ケーブル
21    第１のソケットとしてのレセプタクル
26a   ねじ溝
28    第１の接触子としてのピン体
31    第２のソケットとしてのプラグハウジング
42    第２の接触子としてのソケット体
51    保持手段としての保持リング
55a   ねじ溝
61    固定手段としての結束バンド
【図１】
2006085996.tif 000003
【図２】
2006085996.tif 000004
【図３】
2006085996.tif 000005
【図４】
2006085996.tif 000006